(57)【要約】【課題】移動体におけるデジタル放送の視聴に関し、携帯端末での１セグメント放送の視聴エリアを広げる。【解決手段】車載デジタル放送受信機２０に携帯端末１セグメント放送受信機６０を有する携帯端末が接続されたときに、車載デジタル放送アンテナ２４、２６により受信した携帯端末向けデジタル放送を含むデジタル放送を、携帯端末１４のＨ．２６４復調部７６で復調し、映像音声切替部９０を通じて、車載表示装置４０と車載スピーカ４２に送出する。アンテナ利得の高い車載デジタル放送アンテナ２４、２６を利用して映像と音声を復調するようにしているので、より広い視聴エリアで携帯端末向けデジタル放送を視聴することができる。【選択図】図２
2006295671.tif 000002
【特許請求の範囲】
【請求項１】
第１のアンテナにより携帯端末向けデジタル放送を含むデジタル放送を受信して信号列を復調し、復調した信号列を第１の映像復調手段により第１の映像信号に復調して表示装置に送出する第１の受信機と、
前記第１の受信機に接続可能であり、第２のアンテナにより前記携帯端末向けデジタル放送を受信して信号列を復調し、復調した信号列を第２の映像復調手段により第２の映像信号に復調する第２の受信機を有する携帯端末と、
前記第１の受信機に前記携帯端末が接続されたときに、前記第１のアンテナにより受信した前記携帯端末向けデジタル放送を含むデジタル放送を前記第２の受信機に送出する受信信号選択手段と、
前記受信信号選択手段から送出されたデジタル放送中、前記携帯端末向けデジタル放送が前記第２の映像復調手段により前記第２の映像信号に復調されたとき、復調された第２の映像信号を前記第１の受信機の前記表示装置に送出する映像信号切替手段と、
備えることを特徴とするデジタル放送受信システム。
【請求項２】
請求項１記載のデジタル放送受信システムにおいて、
前記受信信号選択手段は、
前記第１のアンテナの出力を前記第２の受信機に導入するアンテナ切替器である
ことを特徴とするデジタル放送受信システム。
【請求項３】
請求項１記載のデジタル放送受信システムにおいて、
前記受信信号選択手段は、
前記第１の受信機により復調した前記信号列が、前記第２の映像復調手段に導入されるように切り替える信号列切替器である
ことを特徴とするデジタル放送受信システム。
【請求項４】
請求項１〜３のいずれか１項に記載のデジタル放送受信システムが搭載された
移動体。
【発明の詳細な説明】
【技術分野】
【０００１】
この発明は、デジタル放送を受信する第１の受信機と、携帯端末向けデジタル放送を受信する第２の受信機を有する携帯端末とを融合させた新規な組み合わせを有するデジタル放送受信システム及びこのデジタル放送受信システムが搭載された移動体に関する。
【背景技術】
【０００２】
周知のように、日本国内において２００３年にデジタル放送が開始された。このデジタル放送の開始を踏まえ、車両に搭載された地上デジタル放送受信機を用いてデジタル放送の視聴環境を提供するシステムが提案されている（特許文献１参照）。
【０００３】
また、今後放送開始が予定されている携帯端末向けデジタル放送の受信機を備えた携帯端末も提案されている（特許文献２参照）。
【０００４】
なお、上記のデジタル放送では、所定帯域の１チャンネル内に、１３のセグメント放送が多重化され、この１３セグメント放送中、１セグメント放送が携帯端末向けデジタル放送（以下、携帯端末向け１セグメント放送ともいう。）とされている（特許文献３参照）。残りの１２セグメント放送は、家庭端末等の固定端末用の放送であるが、この固定端末向け１２セグメント放送は、車載デジタル放送受信機により視聴可能となっている。
【０００５】
【特許文献１】特開２００３−２８３４０５号公報（図１）
【特許文献２】特開２００３−１５３１１１号公報（図６）
【特許文献３】特開２００５−２０３４０号公報（図７）
【発明の開示】
【発明が解決しようとする課題】
【０００６】
近時、車載用ナビゲーションシステムの普及に伴い、このナビゲーションシステムを構成する高精細表示装置により前記固定端末向け１２セグメント放送の視聴が可能なデジタル放送受信機が車両に搭載されることが想定される。
【０００７】
また、最近では、高精細表示装置をリア席用として備えたリア席用のエンタテインメントシステムも提案され、これにより移動時における放送視聴の環境が整いつつある。
【０００８】
そして、車両等の移動体ではデジタル放送を視聴できるエリアを極力広く確保するようにしている。
【０００９】
一方、携帯端末向け１セグメント放送を受信する受信機を搭載した携帯電話等の携帯端末の普及も目前に迫っている。
【００１０】
このような背景下、今後、携帯端末向け１セグメント放送によるコンテンツを移動体の中でも、携帯端末の表示装置に比較して車載の大画面・高精細表示装置により視聴したいとする要求が高まることが必然と考えられる。
【００１１】
ところが、固定端末向け１２セグメント放送用の映像音声信号の復調（復号）は、ＭＰＥＧ２方式で行われる一方、携帯端末向け１セグメント放送用の映像音声信号の復調（復号）はＨ．２６４方式で行われることから、従来技術では、携帯端末向け１セグメント放送によるコンテンツを、移動体の中で、車載の大画面・高精細表示装置で視聴するという要求に応えることができない。
【００１２】
図１０は、この発明に利用される車載デジタル放送受信機２０の構成を示すブロック図である。
【００１３】
図１１は、この発明に利用される携帯端末向け１セグメント放送受信機（携帯端末１セグメント放送受信機）６０の構成を示すブロック図である。
【００１４】
図１０に示す車載デジタル放送受信機２０は、車載デジタル放送アンテナ２４、２６により受信した放送波をデジタル信号の信号列に復調するＯＦＤＭ（Orthogonal Frequency Division Multiplexing）復調部２８、３０と、復調した複数の信号列に対してデジタル合成を行う合成部３２と、合成後の信号列の誤りを訂正する誤り訂正部３４と、誤り訂正後の信号列を映像音声信号に復調するＭＰＥＧ２復調部３６と、復調された映像音声信号を処理し、映像信号と音声信号を表示装置４０とスピーカ４２に出力する映像音声処理部３８とから構成される。
【００１５】
図１１に示す携帯端末向け１セグメント放送受信機６０は、携帯端末内蔵アンテナ６４、６６により受信した放送波をデジタル信号の信号列に復調するＯＦＤＭ復調部６８、７０と、復調した複数の信号列をデジタル合成する合成部７２と、合成後の信号列の誤りを訂正する誤り訂正部７４と、誤り訂正後の信号列を映像音声信号に復調するＨ．２６４復調部７６と、復調された映像音声信号を処理し、映像信号と音声信号を表示装置８０とスピーカ８２に出力する映像音声処理部７８とから構成される。なお、携帯端末１セグメント放送受信機６０において、点線で示すアンテナ６６、ＯＦＤＭ復調部７０、合成部７２は、アンテナがダイバシティ構成となっていない１本のアンテナ６４のみから構成される場合には省略される。この場合、ＯＦＤＭ復調部６８の出力が直接誤り訂正部７４に送出される。
【００１６】
図１０、図１１から分かるように、現在のところ、固定端末向け１２セグメント放送用の映像音声信号の復調は、車載デジタル放送受信機２０を構成するＭＰＥＧ２復調部３６によりＭＰＥＧ２方式で行われる一方、携帯端末向け１セグメント放送用の映像音声信号の復調は、携帯端末１セグメント放送受信機６０を構成するＨ．２６４復調部７６によりＨ．２６４方式で行われることから、携帯端末向け１セグメント放送によるコンテンツを、移動体の中でも、携帯端末の表示装置８０ではなく、大画面・高精細表示装置４０により視聴したいとする要求に応えることができていない。
【００１７】
なお、携帯端末１セグメント放送受信機６０に組み込まれているＨ．２６４復調部７６を車載デジタル放送受信機２０に組み込むことも考えられるが、車載用の電子機器の動作環境条件（特に温度範囲）は、携帯端末の動作環境条件に比較して相当に厳しく、Ｈ．２６４復調部７６を車載動作環境条件を満足する仕様に変更して、車載デジタル放送受信機２０に組み込んだ場合には、車載デジタル放送受信機２０のコストが１．５倍程度以上に増加するという問題がある。
【００１８】
この発明は、このような課題を考慮してなされたものであり、デジタル放送を受信する受信機（第１の受信機という。）と、携帯端末向けデジタル放送（携帯端末向け１セグメント放送ともいう。）を受信する受信機（携帯端末向け１セグメント放送受信機であって第２の受信機ともいう。）を有する携帯端末とを連動させ効率よくデジタル放送を視聴することを可能とする新規な構成のデジタル放送受信システムを提供することを目的とする。
【００１９】
また、この発明は、車両等の移動体におけるデジタル放送の視聴に関し、携帯端末に搭載された携帯端末向けデジタル放送受信機と、移動体に搭載された第１の受信機とを連動させ、車両内のモニタにより前記携帯端末向けデジタル放送を視聴することを可能とする新規な構成のデジタル放送受信システムを提供することを目的とする。
【００２０】
さらに、この発明は、移動体内において、携帯端末向けデジタル放送の受信感度を高め、視聴エリアを広げることを可能とする携帯端末とデジタル放送受信機とを連動させた新規な構成のデジタル放送受信システムを提供することを目的とする。
【課題を解決するための手段】
【００２１】
この発明に係るデジタル放送受信システムは、第１のアンテナにより携帯端末向けデジタル放送を含むデジタル放送を受信して信号列を復調し、復調した信号列を第１の映像復調手段により第１の映像信号に復調して表示装置に送出する第１の受信機と、前記第１の受信機に接続可能であり、第２のアンテナにより前記携帯端末向けデジタル放送を受信して信号列を復調し、復調した信号列を第２の映像復調手段により第２の映像信号に復調する第２の受信機を有する携帯端末と、前記第１の受信機に前記携帯端末が接続されたときに、前記第１のアンテナにより受信した前記携帯端末向けデジタル放送を前記第２の受信機に送出する受信信号選択手段と、前記受信信号選択手段から送出されたデジタル放送中、前記携帯端末向けデジタル放送が前記第２の映像復調手段により前記第２の映像信号に復調されたとき、復調された第２の映像信号を前記第１の受信機の前記表示装置に送出する映像信号切替手段と、備えることを特徴とする。
【００２２】
この発明によれば、第１の受信機に第２の受信機を有する携帯端末が接続されたときに、第１の受信機の第１のアンテナにより受信した携帯端末向けデジタル放送を含むデジタル放送を、受信信号選択手段を通じて、第２の受信機に送出する。第２の受信機の第２の映像復調手段により、前記受信信号選択手段から送出されたデジタル放送中、前記携帯端末向けデジタル放送が復調されたとき、復調された第２の映像信号を映像信号切替手段により第１の受信機の表示装置に送出するようにしている。
【００２３】
このため、第１の受信機で受信した携帯端末向けデジタル放送の映像を第１の受信機の表示装置で見ることができる。
【００２４】
実際上、第２の映像復調手段では、音声も復調されるので、第１の受信機で受信し第２の受信機の第２の映像復調手段で復調した携帯端末向けデジタル放送を第１の受信機の表示装置と音声出力装置により視聴することができる。
【００２５】
この場合、前記受信信号選択手段は、前記第１のアンテナの出力を前記第２の受信機に導入するアンテナ切替器とすることで、通常、アンテナ利得の大きい第１のアンテナを利用して携帯向けデジタル放送を見ることができる。すなわち、より広い受信エリアで携帯向けデジタル放送を見ることができる。なお、受信信号選択手段として、アンテナ切替器に代替して、アンテナ合成器を用いることもできる。
【００２６】
なお、前記受信信号選択手段は、前記第１の受信機により復調した前記信号列が、前記第２の映像復調手段に導入されるように切り替えるようにしてもよい。前記信号列に携帯端末向けデジタル放送の信号列が含まれていることが前提であるが、このようにすれば、アンテナで受信するＲＦ信号より低周波のＩＦ信号を伝送することになるので、受信信号選択手段の構成を簡易な構成とすることができる。
【００２７】
このように上記した発明によれば、アンテナ利得の高いデジタル放送受信機を利用して携帯端末向けデジタル放送を受信し、携帯端末の第２の復調手段により映像音声を復調するようにしているので、携帯向けデジタル放送の受信感度が高まり、より広い視聴エリアで携帯向けデジタル放送を視聴することができる。
【００２８】
なお、上記デジタル放送受信システムは、移動体に搭載して使用される。移動体は、車両、船、水陸両用車、プレジャーボート、ヘリコプタ、飛行機等とすることができる。
【発明の効果】
【００２９】
この発明によれば、デジタル放送を受信する第１の受信機と、携帯端末向けデジタル放送を受信する第２の受信機（携帯端末に搭載された携帯端末向け１セグメント放送受信機）を有する携帯端末とを連動させ効率よく、携帯端末向けデジタル放送（携帯端末向け１セグメントデジタル放送）を視聴することができる。
【００３０】
また、この発明によれば、車両等の移動体におけるデジタル放送の視聴に関し、携帯端末に搭載された携帯端末向けデジタル放送受信機と、移動体に搭載された第１の受信機とを連動させ、車両内のモニタにより前記携帯端末向けデジタル放送を視聴することができる。
【００３１】
さらに、この発明によれば、アンテナ利得の高いデジタル放送受信機を利用して携帯端末向けデジタル放送を受信し、携帯端末の復調手段により映像音声を復調するようにしているので、携帯端末向けデジタル放送の受信感度が高まり、より広い視聴エリアで携帯向けデジタル放送を視聴することができる。
【発明を実施するための最良の形態】
【００３２】
以下、この発明の一実施形態に係るデジタル放送受信システムが搭載された移動体について好適な実施の形態を挙げ、添付の図面を参照しながら説明する。
【００３３】
なお、以下に参照する図面において、上記した図１０、図１１に示したものと同一のものあるいは対応するものには同一の参照符号を付け、その詳細な説明は省略する。
【００３４】
以下、この発明に係るデジタル放送受信システム及びデジタル放送受信システムが搭載された移動体について好適な実施の形態を挙げ、添付の図面を参照しながら説明する。
【００３５】
なお、以下に説明する各機能手段は、マイクロコンピュータ等、ＣＰＵがメモリに格納されたプログラムを実行することで実現することができる。ハードウエアにより実現することもできる。
【００３６】
図１は、この実施形態に係るデジタル放送受信システム１０を搭載した移動体としての車両１２の概略的な平面構成図を示している。
【００３７】
車両１２には、車載デジタル放送受信機（第１の受信機）２０が配置され、この車載デジタル放送受信機２０に携帯電話等の携帯端末１４の装着部１６が設けられている。
【００３８】
図２は、車載デジタル放送受信機２０の装着部１６に携帯端末１４が装着された状態（図１参照）において、車載デジタル放送受信機２０と携帯端末１４に搭載された携帯端末１セグメント放送受信機（第２の受信機）６０とが電気的に接続された状態のデジタル放送受信システム１０のブロック図を示している。
【００３９】
デジタル放送受信システム１０は、基本的には、１２セグメント放送を受信して番組を視聴するための車載デジタル放送受信機２０と、この車載デジタル放送受信機２０の装着部１６に対して脱着自由とされ、装着部１６に装着されたときに、車載デジタル放送受信機２０と電気的に接続される携帯端末１セグメント放送受信機６０を有する携帯端末１４とから構成される。
【００４０】
以下、主に、車載デジタル放送受信機２０と携帯端末１セグメント放送受信機６０が電気的に接続された状態の構成動作について説明する。
【００４１】
車載デジタル放送受信機２０は、車載デジタル放送アンテナ２４、２６により携帯向けデジタル放送を含むデジタル放送、すなわち１３セグメント放送を受信するが、ＯＦＤＭ復調部２８、３０では、携帯向けデジタル放送の１セグメント放送を除く残りの１２セグメント放送のみの信号列が復調されて合成部３２に送出され、デジタル合成された信号列が誤り訂正部３４Ａに送出される。誤り訂正部３４Ａは、信号列の誤りを訂正し、誤り訂正した信号列をＭＰＥＧ２復調部（第１の映像音声復調手段）３６に送出するとともに、信号列を構成する各フレームのビットエラーレート等の誤り率ＥＲを車内配線４４（図１参照）を通じて映像音声切替部（映像音声信号切替手段）９０に送出する。
【００４２】
誤り訂正された信号列がＭＰＥＧ２復調部３６により映像音声信号に復調（復号）され映像音声処理部３８に送出される。映像音声処理部３８は、復調された映像音声信号を映像信号（第１の映像信号）と音声信号に分けて車内配線４４を通じて映像音声切替部９０に送出する。
【００４３】
車載デジタル放送受信機２０の装着部１６に携帯端末１４が装着されているときに、１回路２接点の切替スイッチであり受信信号選択手段として機能する受信信号切替手段９２、９４は、アンテナ切替器であり、携帯端末内蔵アンテナ６４、６６側から車載デジタル放送アンテナ２４、２６側に自動的に切り替えられる。したがって、このとき以降、携帯端末１４を構成する携帯端末１セグメント放送受信機６０のＯＦＤＭ復調部６８、７０には、車載デジタル放送アンテナ２４、２６により受信した携帯端末向けデジタル放送を含むデジタル放送波が受信信号切替手段９２、９４を通じて供給される。なお、受信信号選択手段としては、アンテナ切替器に代替してアンテナ合成器を用いることもできる。
【００４４】
携帯端末１セグメント放送受信機６０のＯＦＤＭ復調部６８、７０は、車載デジタル放送アンテナ２４、２６から受信信号切替手段９２、９４を通じて供給された携帯向けデジタル放送を含むデジタル放送、すなわち１３セグメント放送を受波するが、携帯向けデジタル放送の１セグメント放送のみの信号列が復調されて合成部７２に送出され、デジタル合成された信号列が誤り訂正部７４に送出される。誤り訂正部７４は、信号列の誤りを訂正し、誤り訂正した信号列をＨ．２６４復調部（第２の映像音声復調手段）７６に送出する。誤り訂正された信号列がＨ．２６４復調部７６により映像音声信号に復調（復号）され映像音声処理部７８に送出される。
【００４５】
映像音声処理部７８は、復調された映像音声信号を映像信号（第２の映像信号）と音声信号に分け車内配線４４を通じて映像音声切替部９０に送出する。
【００４６】
映像音声切替部９０には、車内配線４４を介して、映像を表示する前席側と後席側のモニタである表示装置（表示手段）４０（４０Ｆ、４０Ｒ）と、音声を出力する前席側と後席側のスピーカ（音声出力手段）４２（４２ＦＲ、４２ＦＬ、４２ＲＲ、４２ＲＬ）が接続されている。車載の表示装置４０は、携帯端末１４の表示装置８０に比較して、高精細・大画面である。同様に、車載のスピーカ４２は、携帯端末１４のスピーカ８２（イヤフォン出力の場合も多い）に比較して、大出力・高音質の音を出力することができる。
【００４７】
映像音声切替部９０は、ユーザによりチャンネル設定ボタン９６が操作されて１セグメント放送のチャンネルが選択されていた場合には、車載デジタル放送アンテナ２４、２６を利用して受信され、Ｈ．２６４復調部７６により復調された携帯向けデジタル放送の映像信号と音声信号を、車内配線４４を介して、それぞれ、車載の表示装置４０とスピーカ４２に供給する。
【００４８】
この実施形態に係るデジタル放送受信システム１０を搭載した移動体としての車両１２は、基本的には、以上のように構成されかつ動作するものであり、次に、デジタル放送受信システム１０の詳細な動作について説明する。
【００４９】
図３は、図２に示す車載デジタル放送受信機２０の処理フローを示している。
【００５０】
ステップＳ１において、ＯＦＤＭ復調部２８、３０は、車載デジタル放送アンテナ２４、２６で受信した携帯端末向けデジタル放送を含む放送波に対してデジタル復調を行い、ステップＳ２において、合成部３２でデジタル合成処理がなされて合成後のデジタル信号の信号列が出力される。
【００５１】
ステップＳ３において、誤り訂正部３４Ａは、復調された合成後の信号列からフレーム毎の誤り率ＥＲを算出し、この誤り率ＥＲを図示しないメモリ（ＲＡＭ）に誤り率データ１０１として格納するとともに、復調された信号列の誤りを訂正し訂正後の信号列をＭＰＥＧ２復調部３６に出力する。
【００５２】
次いで、ステップＳ４において、ＭＰＥＧ２復調部３６は、訂正後の信号列を映像音声信号にＭＰＥＧ２復調して映像音声処理部３８に出力する。
【００５３】
ステップＳ５において、ＭＰＥＧ復調部３６で復調された映像音声信号は映像音声処理部３８を通じてデジタル放送の映像信号と音声信号として映像音声切替部９０に送出される。
【００５４】
図４は、図２に示す携帯端末１セグメント放送受信機６０の処理フローを示している。
【００５５】
ステップＳ１１において、車載デジタル放送アンテナ２４、２６で受信した携帯端末向けデジタル放送を含む放送波が受信信号切替手段９２、９４を通じてＯＦＤＭ復調部６８、７０に供給されると、ＯＦＤＭ復調部６８、７０は、携帯向けデジタル放送を含むデジタル放送の１３セグメント放送波の中、携帯向けデジタル放送の１セグメント放送のみの信号列を復調して合成部７２に送出する。
【００５６】
ステップＳ１２において、合成部７２でデジタル合成処理がなされて合成後のデジタル信号の信号列が出力される。
【００５７】
ステップＳ１３において、誤り訂正部７４は、復調された信号列の誤りを訂正して訂正後の信号列をＨ．２６４復調部７６に出力する。
【００５８】
次いで、ステップＳ１４において、Ｈ．２６４復調部７６は、訂正後の信号列を映像音声信号に復調して映像音声処理部７８に出力する。
【００５９】
ステップＳ１５において、Ｈ．２６４復調部７６で復調された映像音声信号は映像音声処理部７８を通じてデジタル放送の映像信号と音声信号として映像音声切替部９０に送出される。
【００６０】
図５、図６は、映像音声切替部９０の処理フローを示している。
【００６１】
まず、ステップＳ２１において、映像音声切替部９０は、車載の表示装置４０上に表示可能な番組の一覧を表示する。なお、この番組一覧の表示は、デジタル放送に含まれる電子番組表を用いることで対応する。
【００６２】
次いで、ステップＳ２２において、この番組表示後にユーザによりチャンネル（番組）設定ボタン９６が操作されてチャンネル（番組）の選択指示があるかどうかが確認される。
【００６３】
チャンネル（番組）の選択指示があった場合、ステップＳ２３において、その指示番組が、携帯端末用１セグメント放送のみでしか見ることのできない専用番組であるかどうかを確認し、携帯端末用１セグメント放送専用番組である場合、そのまま、ユーザが選択した携帯端末用１セグメント放送専用番組の映像信号と音声信号をそれぞれ表示装置４０とスピーカ４２に送出する。これにより、車載の表示装置４０とスピーカ４２により、車載デジタル放送アンテナ２４、２６で受信し、携帯端末１セグメント放送受信機６０を構成するＨ．２６４復調部７６で復調した携帯端末用１セグメント放送を視聴することができる。
【００６４】
すなわち、この実施形態によれば、車載デジタル放送受信機（第１の受信機）２０に携帯端末１セグメント放送受信機（第２の受信機）６０を有する携帯端末１４が装着部１６を介して接続されたときに、車載デジタル放送受信機２０の車載デジタル放送アンテナ２４、２６により受信した携帯端末向けデジタル放送を含むデジタル放送が、受信信号切替手段９２、９４を通じて携帯端末１セグメント放送受信機６０に送出されるので、携帯端末１４のＨ．２６４復調部７６により、受信信号切替手段９２、９４から送出されたデジタル放送中、携帯端末向けデジタル放送が復調され、復調された映像信号（第２の映像信号）と音声信号が映像音声切替部（映像音声切替手段）９０を通じて表示装置４０とスピーカ４２に送出される。
【００６５】
このため、車載デジタル放送アンテナ２４、２６で受信した携帯端末向けデジタル放送の映像と音声を、携帯端末１４の表示装置８０に比較して高精細・大画面の表示装置４０と、携帯端末１４のスピーカ８２に比較して大出力・高音質のスピーカ４２とにより視聴することができる。
【００６６】
この場合、車載デジタル放送アンテナ２４、２６は、携帯端末１４の携帯端末内蔵アンテナ６４、６６に比較してアンテナ利得が大きいので、携帯端末１４の内蔵アンテナ６４、６６による受信エリア（視聴エリア）に比較してより広い受信エリア（視聴エリア）で携帯向けデジタル放送を視聴することができる。
【００６７】
一方、上述したステップＳ２２において、ユーザによる番組の指示がなかった場合には、ステップＳ２５において、デフォルトとして、例えば電子番組表の最左列の番組の表示準備を行う。
【００６８】
この電子番組表の最左列の番組の表示準備を行った場合、及びステップＳ２２でユーザによる番組の指示はあったが、その番組が、１３セグメント放送中、７番目の１セグメント放送の携帯端末専用に放送されているのではなく、１２セグメント放送中にもサイマル放送（同一内容の同時放送）で放送されている場合には、その番組がＭＰＥＧ２復調部３６により復調されていることを考慮し、以下に説明するように、車載デジタル放送受信機２０により得られた誤り率ＥＲを用いて受信状況を確認し、その状況に応じた映像表示と音声出力を行うことができる。
【００６９】
この場合、ステップＳ２６において、映像音声切替部９０は、受信状況の指標としての誤り率ＥＲを誤り率データ１０１から取得する。
【００７０】
次に、ステップＳ２７において、この誤り率ＥＲの値に基づき、メモリ（ＥＥＰＲＯＭ）に記憶されている図７の受信状況判定表１０２を参照して、ＭＰＥＧ２復調された映像信号と音声信号、及びＨ．２６４復調された映像信号と音声信号とをユーザの好みに適したように（ユーザフレンドリーに）、切り替えて表示装置４０及びスピーカ４２に送出する。
【００７１】
図７に示すように、受信状況判定表１０２においては、誤り率ＥＲの判定に際し、３段階の閾値（小閾値ＴＨｓ＜中閾値ＴＨｍ＜大閾値ＴＨｌ）を設けている。
【００７２】
すなわち、図６に示すように、ステップＳ２７Ａにおいて、誤り率ＥＲが小閾値ＴＨｓ以下である良好受信状態であると判定したときには（ＥＲ≦ＴＨｓ）、ステップＳ２８において、車載デジタル放送受信機２０によりＭＰＥＧ２復調された映像信号と音声信号を表示装置４０とスピーカ４２に送出する。
【００７３】
また、ステップＳ２７Ｂにおいて、誤り率ＥＲが小閾値ＴＨｓ以上であって中閾値ＴＨｍ以下である注意受信状態であると判定したときには（ＴＨｓ≦ＥＲ≦ＴＨｍ）、ステップＳ２９で携帯端末用デジタル放送がサイマル放送されていることを条件に、音声は、携帯端末１セグメント放送受信機６０でＨ．２６４復調した音声信号の方が受信状況が良好と判断されるのでステップＳ３０において、車載デジタル放送受信機２０による映像信号と携帯端末１セグメント放送受信機による音声信号を表示装置４０とスピーカ４２に送出する。
【００７４】
ステップＳ２９でサイマル放送がなされていなかった場合には、ステップＳ３１において、ステップＳ２５で準備した電子番組表の最左列の番組の映像と音声を表示装置４０で表示し、スピーカ４２から音声出力する。
【００７５】
次いで、ステップＳ２７Ｃにおいて、誤り率ＥＲが中閾値ＴＨｍ以上であって大閾値ＴＨｌ以下である不良受信状態であると判定したときには（ＴＨｍ≦ＥＲ≦ＴＨｌ）、ステップＳ３２において、携帯端末専用の電子番組表を表示装置４０上に表示するとともに、受信状況が不良受信状態にあること、そのために携帯端末専用の電子番組表を表示装置４０上に表示したことを表示する。
【００７６】
ステップＳ３３において、ユーザによりチャンネル（番組）設定ボタン９６が操作されてチャンネル（番組）選択が行われた場合には、ステップＳ３４において、携帯端末１セグメント放送受信機６０でＨ．２６４復調された映像信号と音声信号を表示装置４０とスピーカ４２に送出する。
【００７７】
なお、ステップＳ３３において、ユーザによる番組選択が行われなかった場合には、デフォルトとして携帯端末電子番組表の最左列番組の映像信号と音声信号を表示装置４０とスピーカ４２に送出する。
【００７８】
次いで、ステップＳ２７Ｄにおいて、誤り率ＥＲが大閾値ＴＨｌ以上である不能受信状態であると判定したときには（ＴＨｌ≦ＥＲ）、ステップＳ３６において、携帯端末専用の電子番組表を表示装置４０上に表示するとともに、映像の受信状況が不能受信状態にあること、そのために携帯端末専用の電子番組表を表示装置４０上に表示したことを表示する。
【００７９】
ステップＳ３７において、ユーザによるチャンネル（番組）選択が行われた場合には、ステップＳ３９において、携帯端末１セグメント放送受信機６０でＨ．２６４復調された音声信号のみをスピーカ４２に送出する。
【００８０】
なお、ステップＳ３７において、ユーザによる番組選択が行われなかった場合には、デフォルトとして、携帯端末電子番組表の最左列番組の音声をスピーカ４２から出力する。
【００８１】
このとき、表示装置４０上では、映像の内容を見ることができないが、スピーカ４２から出力される音声の品質は劣化はしているが内容を聞き取ることができる可能性が高い。
【００８２】
このように、映像音声切替部９０の出力を切替制御することで、デジタル受信信号の誤り率ＥＲ（受信状況）に応じた最適な出力を得ることができる。
【００８３】
図８は、この発明の他の実施形態に係るデジタル放送受信システム１０Ａの構成を示すブロック図である。
【００８４】
図９は、デジタル放送受信システム１０Ａが搭載された車両１２Ａの構成を示している。
【００８５】
この図８、図９例では、車載デジタル放送アンテナ２４、２６から直接デジタル放送波を取り込むのではなく、車載デジタル放送受信機２０により復調した誤り訂正後の信号列が携帯端末１４のＨ．２６４復調部７６に受信信号切替手段（信号列切替器）７５を通じて導入されるように構成を変更している。なお、この図８、図９例の車載デジタル放送受信機２０のＯＦＤＭ復調部２８、３０は、所定帯域の１チャンネル内に多重化されている１３のセグメント放送を全てＯＦＤＭ復調できる構成とされていることが前提となる。なお、ＭＰＥＧ２復調部３６で映像音声復調であるＨ．２６４復調も行える構成に変更することに比較して、ＯＦＤＭ復調部２８、３０で携帯端末用１セグメント放送を復調する構成を追加することはきわめて容易であるので、コストの増加は少ない。
【００８６】
このようにすれば、アンテナで受信するＲＦ信号より低周波のＩＦ信号を伝送することになるので、受信信号選択手段としての受信信号切替手段７５の構成を簡易で廉価な構成にすることができるとともに、携帯端末１４の装着部１６の設置位置の自由度が上がることから携帯端末１４の装着部１６を、図９に示すように、ダッシュボード近傍の領域にすることができる。
【００８７】
また、上述した図２例、図８例のデジタル放送受信システム１０、１０Ａにおいて、車載システムでは、車載デジタル放送アンテナ２４、２６のようにダイバシティ構成とされていることから、ＯＦＤＭ復調部２８、３０を利用して復調された信号列は、高速移動に対応したデジタル復調の感度が上昇する。
【００８８】
なお、さらに、簡単な構成として、図８例のデジタル放送受信システム１０Ａで受信信号切替手段７５を設けないようにし、映像音声切替部９０のみを用いる構成とした場合においては、視聴エリアを拡大することはできないが、車載デジタル放送受信機２０と携帯端末１セグメント放送受信機６０により受信できる放送を、電波環境に応じて切替、融合することでより多くのコンテンツをユーザに提供できる可能性が高くなる。
【００８９】
なお、この発明は、上述した実施形態に限らず、この明細書の記載内容に基づき、種々の構成を採り得ることはもちろんである。
【図面の簡単な説明】
【００９０】
【図１】この発明の一実施形態に係るデジタル放送受信システムが搭載された車両の一部省略構成図である。
【図２】この発明の一実施形態に係るデジタル放送受信システムのブロック図である。
【図３】車載デジタル放送受信機の動作説明に供されるフロー図である。
【図４】携帯端末１セグメント放送受信機の動作説明に供されるフロー図である。
【図５】映像音声切替部の動作説明に供されるフロー図（１／２）である。
【図６】映像音声切替部の動作説明に供されるフロー図（２／２）である。
【図７】受信状況判定表の説明図である。
【図８】他の実施形態に係るデジタル放送受信システムのブロック図である。
【図９】図８例のデジタル放送受信システムが搭載された他の実施形態に係る車両の一部省略構成図である。
【図１０】この発明に利用される車載デジタル放送受信機の構成を示すブロック図である。
【図１１】この発明に利用される携帯端末向け１セグメント放送受信機の構成を示すブロック図である。
【符号の説明】
【００９１】
１０、１０Ａ…デジタル放送受信システム
１２、１２Ａ…車両                    １４…携帯端末
１６…装着部
２０…車載デジタル放送受信機（第１の受信機）
２４、２６…車載デジタル放送アンテナ  ３６…ＭＰＥＧ２復調部
４０（４０Ｆ、４０Ｒ）…車載表示装置
４２（４２ＦＲ、４２ＦＬ、４２ＲＲ、４２ＲＬ）…車載スピーカ
６０…携帯端末１セグメント放送受信機（第２の受信機）
６４、６６…携帯端末内蔵アンテナ      ７５、９２、９４…受信信号切替手段
７６…Ｈ．２６４復調部                ９０…映像音声切替部    
【図１】
2006295671.tif 000003
【図２】
2006295671.tif 000004
【図３】
2006295671.tif 000005
【図４】
2006295671.tif 000006
【図５】
2006295671.tif 000007
【図６】
2006295671.tif 000008
【図７】
2006295671.tif 000009
【図８】
2006295671.tif 000010
【図９】
2006295671.tif 000011
【図１０】
2006295671.tif 000012
【図１１】
2006295671.tif 000013